(57)【要約】【課題】壁紙と塗り壁の双方の長所を併せ持った内装仕上げ材を使用して、仕上げ面において左官仕上げを行ったときのような質感や表情を再現可能とするとともに、好みの意匠に柔軟に仕上げる。【解決手段】未硬化状態とした気硬性の仕上げ塗材層２の表面を、剥離可能な非通気性の保護シート３で被覆するとともに、仕上げ塗材層２の裏面を、通気性若しくは非通気性の裏打シート４で被覆してなる内装仕上げ材１を使用する。そして、裏打シート４を建物内装面１０に貼り付けることで、内装仕上げ材１を建物内装面１０に沿って張設して、保護シート３の上から仕上げ塗材層２の表面に対して、ローラや刷毛等の意匠付け用部材１１を使用して意匠付けを行った後、保護シート３を仕上げ塗材層２の表面から剥がして、仕上げ塗材層２を硬化させる。【選択図】図１
2010047972.tif 000002
【特許請求の範囲】
【請求項１】
未硬化状態とした気硬性の仕上げ塗材層（２）の表面を、剥離可能な非通気性の保護シート（３）で被覆するとともに、前記仕上げ塗材層（２）の裏面を、通気性若しくは非通気性の裏打シート（４）で被覆してなる内装仕上げ材（１）を使用した建物の内装仕上げ方法であって、前記裏打シート（４）を建物内装面（１０）に貼り付けることで、前記内装仕上げ材（１）を前記建物内装面（１０）に沿って張設して、前記保護シート（３）の上から前記仕上げ塗材層（２）の表面に対して、ローラや刷毛等の意匠付け用部材（１１）を使用して意匠付けを行った後、前記保護シート（３）を前記仕上げ塗材層（２）の表面から剥がして、前記仕上げ塗材層（２）を硬化させるようにしたことを特徴とする建物の内装仕上げ方法。
【請求項２】
未硬化状態とした気硬性の仕上げ塗材層（２）の表面を、剥離可能な非通気性の保護シート（３）で被覆するとともに、前記仕上げ塗材層（２）の裏面を、通気性若しくは非通気性の裏打シート（４）で被覆してなる内装仕上げ材（１）を使用した建物の内装仕上げ方法であって、前記裏打シート（４）を建物内装面（１０）に貼り付けることで、前記内装仕上げ材（１）を前記建物内装面（１０）に沿って張設して、前記保護シート（３）を剥がすことによって露出した前記仕上げ塗材層（２）の表面に対して、ローラや刷毛等の意匠付け用部材（１１）を使用して意匠付けを行った後、前記仕上げ塗材層（２）を硬化させるようにしたことを特徴とする建物の内装仕上げ方法。
【請求項３】
前記内装仕上げ材（１）を、その保護シート（３）と裏打シート（４）とを互いに重ね合わせるようにロール状に巻いた状態で非通気性の袋体（５）に封入して、使用時に前記袋体（５）から取り出すようにした請求項１又は２記載の建物の内装仕上げ方法。
【請求項４】
未硬化状態とした気硬性の仕上げ塗材層（２）の表面を、剥離可能な非通気性の保護シート（３）で被覆してなる内装仕上げ材（２０）を使用した建物の内装仕上げ方法であって、前記仕上げ塗材層（２）の裏面を建物内装面（１０）に貼り付けることで、前記内装仕上げ材（２０）を前記建物内装面（１０）に沿って張設して、前記保護シート（３）の上から前記仕上げ塗材層（２）の表面に対して、ローラや刷毛等の意匠付け用部材（１１）を使用して意匠付けを行った後、前記保護シート（３）を前記仕上げ塗材層（２）の表面から剥がして、前記仕上げ塗材層（２）を硬化させるようにしたことを特徴とする建物の内装仕上げ方法。
【請求項５】
未硬化状態とした気硬性の仕上げ塗材層（２）の表面を、剥離可能な非通気性の保護シート（３）で被覆してなる内装仕上げ材（２０）を使用した建物の内装仕上げ方法であって、前記仕上げ塗材層（２）の裏面を建物内装面（１０）に貼り付けることで、前記内装仕上げ材（２０）を前記建物内装面（１０）に沿って張設して、前記保護シート（３）を剥がすことによって露出した前記仕上げ塗材層（２）の表面に対して、ローラや刷毛等の意匠付け用部材（１１）を使用して意匠付けを行った後、前記仕上げ塗材層（２）を硬化させるようにしたことを特徴とする建物の内装仕上げ方法。
【請求項６】
前記内装仕上げ材（２０）を、その保護シート（３）と仕上げ塗材層（２）の裏面とを互いに重ね合わせるようにロール状に巻いた状態で非通気性の袋体（５）に封入して、使用時に前記袋体（５）から取り出すようにした請求項４又は５記載の建物の内装仕上げ方法。
【発明の詳細な説明】
【技術分野】
【０００１】
この発明は、建物内装面に貼り付ける内装仕上げ材を使用した建物の内装仕上げ方法に関する。
【背景技術】
【０００２】
従来より、住宅やマンション等の建物における天井面や内壁面等の内装面に貼り付ける内装仕上げ材として、塩化ビニール樹脂製やポリオレフィン樹脂製の壁紙が一般的に広く使用されている。この種の壁紙は、工場での大量生産が可能であり、また現場において内装面に貼り付けるだけで済むことから、経済性や施工性に優れているが、調湿機能や化学物質吸着機能等の機能性に乏しく、また色や模様等においてバリエーションを持たせているものの高級感に欠け、意匠性に乏しいといった欠点があった。
【０００３】
一方、近年では、健康志向や本物志向の高まりにより、日本古来からの伝統的な漆喰等を塗材とした塗り壁が見直されている。この種の塗り壁は、調湿機能や化学物質吸着機能等の機能性に優れ、また高級感があって意匠性にも優れているが、現場において高度な左官仕上げが必要となることから、経済性や施工性に乏しいといった欠点があった。
【０００４】
そこで、壁紙と塗り壁の双方の長所を併せ持った内装仕上げ材が提案されている（例えば、特許文献１参照）。このような内装仕上げ材は、例えば裏打シート、漆喰等からなる仕上げ塗材層、保護シートを積層した構造となっていて、壁紙のように大量生産可能で経済的であり、現場において内装面に貼り付けて仕上げ塗材層から保護シートを剥がすだけで簡単に施工することができ、しかも塗り壁のような機能性や意匠性を有している。
【０００５】
【特許文献１】特開２００４−１８８９１１号公報
【発明の開示】
【発明が解決しようとする課題】
【０００６】
しかしながら、上記のような内装仕上げ材を使用したこれまでの内装仕上げに際しては、保護シートを剥がすことによって露出した仕上げ塗材層の表面をそのまま仕上げ面としていることから、仕上げ面がありきたりな平滑面となっていることが多く、現場においてローラや刷毛により左官仕上げを行ったときのような質感や表情までは再現されなかった。
【０００７】
また、内装仕上げ材の製造時において、凹凸加工を施した保護シートを仕上げ塗材層の表面に押し付けて、仕上げ塗材層の表面に対して予め意匠付けすることも行われているが、この場合でも、仕上げ面には画一的な凹凸模様が付与されるだけで、例えば施工者や居住者の好みの意匠に柔軟に仕上げることはできなかった。
【０００８】
この発明は、上記の不具合を解消して、壁紙と塗り壁の双方の長所を併せ持った内装仕上げ材を使用しながら、仕上げ面において左官仕上げを行ったときのような質感や表情を再現可能とするとともに、好みの意匠に柔軟に仕上げることができるようにした建物の内装仕上げ方法の提供を目的とする。
【課題を解決するための手段】
【０００９】
上記課題を解決するため、この発明の建物の内装仕上げ方法は、未硬化状態とした気硬性の仕上げ塗材層２の表面を、剥離可能な非通気性の保護シート３で被覆するとともに、前記仕上げ塗材層２の裏面を、通気性若しくは非通気性の裏打シート４で被覆してなる内装仕上げ材１を使用したものであって、前記裏打シート４を建物内装面１０に貼り付けることで、前記内装仕上げ材１を前記建物内装面１０に沿って張設して、前記保護シート３の上から前記仕上げ塗材層２の表面に対して、ローラや刷毛等の意匠付け用部材１１を使用して意匠付けを行った後、前記保護シート３を前記仕上げ塗材層２の表面から剥がして、前記仕上げ塗材層２を硬化させるようにしたことを特徴とする。
【００１０】
また、前記保護シート３を剥がすことによって露出した前記仕上げ塗材層２の表面に対して、ローラや刷毛等の意匠付け用部材１１を使用して意匠付けを行うようにしている。
【００１１】
さらに、前記内装仕上げ材１を、その保護シート３と裏打シート４とを互いに重ね合わせるようにロール状に巻いた状態で非通気性の袋体５に封入して、使用時に前記袋体５から取り出すようにしている。
【００１２】
別発明の建物の内装仕上げ方法は、未硬化状態とした気硬性の仕上げ塗材層２の表面を、剥離可能な非通気性の保護シート３で被覆してなる内装仕上げ材２０を使用したものであって、前記仕上げ塗材層２の裏面を建物内装面１０に貼り付けることで、前記内装仕上げ材２０を前記建物内装面１０に沿って張設して、前記保護シート３の上から前記仕上げ塗材層２の表面に対して、ローラや刷毛等の意匠付け用部材１１を使用して意匠付けを行った後、前記保護シート３を前記仕上げ塗材層２の表面から剥がして、前記仕上げ塗材層２を硬化させるようにしたことを特徴とする。
【００１３】
また、前記保護シート３を剥がすことによって露出した前記仕上げ塗材層２の表面に対して、ローラや刷毛等の意匠付け用部材１１を使用して意匠付けを行うようにしている。
【００１４】
さらに、前記内装仕上げ材２０を、その保護シート３と仕上げ塗材層２の裏面とを互いに重ね合わせるようにロール状に巻いた状態で非通気性の袋体５に封入して、使用時に前記袋体５から取り出すようにしている。
【発明の効果】
【００１５】
この発明の内装仕上げ方法では、壁紙と塗り壁の双方の長所を併せ持った内装仕上げ材を使用して、経済性、施工性、機能性や意匠性を良好に維持しながらも、建物内装面に張設した内装仕上げ材に対して、その保護シートの上から仕上げ塗材層の表面に、或いは、保護シートを剥がすことによって露出した仕上げ塗材層の表面に、ローラや刷毛等の意匠付け用部材を使用して意匠付けを行った後、仕上げ塗材層を硬化させていることから、仕上げ面において左官仕上げを行ったときのような質感や表情を再現しながら、施工者や居住者の好みの意匠に柔軟に仕上げることができる。特に、保護シートの上から意匠付けを行うことで、作業中に仕上げ塗材層を汚すことなく、簡単に意匠付けを行うことができ、また仕上げ塗材層の表面に直接意匠付けを行うことで、きめ細やかな意匠付けを行うことができる。
【００１６】
また、内装仕上げ材として、裏打シートを用いたものを使用することで、壁紙のように建物内装面を傷めることなく簡単に剥がすことができ、リフォーム時の内装仕上げ材の貼り替えに有効である。さらに、内装仕上げ材として、裏打シートを廃止したものを使用することで、部材点数を少なくしてより一層のコストダウンを図ることができる。
【００１７】
さらにまた、内装仕上げ材をロール状に巻いた状態で袋体に封入することで、内装仕上げ材の取り扱いが容易になるとともに、使用時まで仕上げ塗材層を未硬化状態のままで確実に維持することができる。
【発明を実施するための最良の形態】
【００１８】
（第１実施形態）
この発明の第１実施形態に係る内装仕上げ方法において使用する内装仕上げ材１は、壁紙のように工場での大量生産が可能であり、図１に示すように、未硬化状態とした気硬性の仕上げ塗材層２の表面を、剥離可能な非通気性の保護シート３で被覆するとともに、仕上げ塗材層２の裏面を、通気性の裏打シート４で被覆することによって構成されている。
【００１９】
仕上げ塗材層２は、例えば水溶性のアクリル樹脂等の結合材、珪藻土や珪砂等の骨材、繊維材等を主原料として、これに増粘剤や顔料等の各種添加材を添加してなる水溶性樹脂系の薄付け仕上げ塗材を、厚さ１〜３ｍｍ程度の層状に形成してなる。この仕上げ塗材層２は、調湿機能や化学物質吸着機能等の機能性に優れ、また高級感があって意匠性にも優れている。なお、仕上げ塗材層２としては、水溶性樹脂系の薄付け仕上げ塗材だけに限らず、合成樹脂エマルション系の薄付け仕上げ塗材や消石灰・ドロマイトプラスター系の薄付け仕上げ塗材を用いて構成しても良い。
【００２０】
保護シート３としては、例えばポリエチレン樹脂シートやポリプロピレン樹脂シート等の合成樹脂シートが用いられ、また裏打シート４としては、壁紙用裏打紙や石膏ボード用原紙、ガラス繊維や樹脂繊維等の不織布が用いられている。なお、裏打シート４としては、通気性のものだけに限らず、合成樹脂シート等の非通気性のものを用いるようにしても良い。
【００２１】
この内装仕上げ材１は、図２に示すように、その保護シート３と裏打シート４とを互いに重ね合わせるようにロール状に巻かれた状態で、仕上げ塗材層２が硬化しないように非通気性の例えばポリエチレン樹脂製の袋体５に封入されている。なお、内装仕上げ材１及び袋体５の素材として、リサイクル材を使用しても良い。
【００２２】
上記構成の内装仕上げ材１を使用して、建物内装面１０(例えば、石膏ボードの表面)の内装仕上げを行う場合、内装仕上げ材１を袋体５に封入したままの状態で現場へ持ち込んで、使用時に内装仕上げ材１を袋体５から取り出す。そして、ロール状に巻いてある内装仕上げ材１を平面状に拡げて、裏打シート４の裏面に糊を塗布し、この裏打シート４を内装面１０に貼り付けることで、図３に示すように、内装仕上げ材１を壁紙のように内装面１０に沿って張設する。なお、内装仕上げ材１の製造時に、予め裏打シート４の裏面に糊を塗布しておいても良く、この場合、内装仕上げ材１をロール状に巻いた状態において保護シート３が離型紙として機能する。
【００２３】
次に、図４に示すように、保護シート３の上から仕上げ塗材層２の表面に対して、ローラや刷毛等の意匠付け用部材１１を使用して、塗り壁のように施工者や居住者の好みに応じた意匠付けを行う。このように、保護シート３の上から意匠付けを行うことで、作業中に仕上げ塗材層２を汚すことなく、簡単に意匠付けを行うことができる。
【００２４】
その後、図５に示すように、保護シート３を仕上げ塗材層２の表面から剥がす。このとき、露出した仕上げ塗材層２の表面に対して、ローラや刷毛等の意匠付け用部材１１を使用して細かな意匠付けを追加的に行ったり、細部についての補修を行うようにしても良い。そして、このようにして意匠付けがなされた仕上げ塗材層２を、自然乾燥により硬化させることで、内装仕上げが完了する。
【００２５】
ここで、仕上げ塗材層２の表面に対する意匠付けに際しては、上記のように必ずしも保護シート３の上から行わずに、保護シート３を剥がした後に、露出した仕上げ塗材層２の表面に対して、ローラや刷毛等の意匠付け用部材１１を使用して、意匠付けを行うようにしても良い。
【００２６】
（第２実施形態）
この発明の第２実施形態に係る内装仕上げ方法において使用する内装仕上げ材２０は、壁紙のように工場での大量生産が可能であり、図６に示すように、第１実施形態と同様の未硬化状態とした気硬性の仕上げ塗材層２の表面を、第１実施形態と同様の剥離可能な非通気性の保護シート３で被覆することによって構成されている。なお、仕上げ塗材層２の裏面は、裏打シート等によって被覆されていない。
【００２７】
この内装仕上げ材２０は、図７に示すように、その保護シート３と仕上げ塗材層２の裏面とを互いに重ね合わせるようにロール状に巻かれた状態で、仕上げ塗材層２が硬化しないように非通気性の例えばポリエチレン樹脂製の袋体５に封入されている。なお、内装仕上げ材２０及び袋体５の素材として、リサイクル材を使用しても良い。
【００２８】
上記構成の内装仕上げ材２０を使用して、建物内装面１０(例えば、石膏ボードの表面)の内装仕上げを行う場合、内装仕上げ材２０を袋体５に封入したままの状態で現場へ持ち込んで、使用時に内装仕上げ材２０を袋体５から取り出す。そして、ロール状に巻いてある内装仕上げ材２０を平面状に拡げて、仕上げ塗材層２の裏面をその粘着性を利用して内装面１０に貼り付けることで、図３に示すように、内装仕上げ材２０を壁紙のように内装面１０に沿って張設する。
【００２９】
次に、図４に示すように、保護シート３の上から仕上げ塗材層２の表面に対して、ローラや刷毛等の意匠付け用部材１１を使用して、塗り壁のように施工者や居住者の好みに応じた意匠付けを行う。このように、保護シート３の上から意匠付けを行うことで、作業中に仕上げ塗材層２を汚すことなく、簡単に意匠付けを行うことができる。
【００３０】
その後、図５に示すように、保護シート３を仕上げ塗材層２の表面から剥がす。このとき、露出した仕上げ塗材層２の表面に対して、ローラや刷毛等の意匠付け用部材１１を使用して細かな意匠付けを追加的に行ったり、細部についての補修を行うようにしても良い。そして、このようにして意匠付けがなされた仕上げ塗材層２を、自然乾燥により硬化させることで、内装仕上げが完了する。
【００３１】
ここで、仕上げ塗材層２の表面に対する意匠付けに際しては、上記のように必ずしも保護シート３の上から行わずに、保護シート３を剥がした後に、露出した仕上げ塗材層２の表面に対して、ローラや刷毛等の意匠付け用部材１１を使用して、意匠付けを行うようにしても良い。
【００３２】
この発明は、上記実施形態に限定されるものではなく、この発明の範囲内で上記実施形態に多くの修正及び変更を加え得ることは勿論である。
【図面の簡単な説明】
【００３３】
【図１】この発明の第１実施形態に係る内装仕上げ材の斜視図である。
【図２】内装仕上げ材を袋体に封入した状態の斜視図である。
【図３】内装仕上げ材を内装面に沿って張設した状態を示す図である。
【図４】保護シートの上からの意匠付け作業を示す図である。
【図５】保護シートの剥離作業を示す図である。
【図６】第２実施形態に係る内装仕上げ材の斜視図である。
【図７】内装仕上げ材を袋体に封入した状態の斜視図である。
【符号の説明】
【００３４】
１、２０・・内装仕上げ材、２・・仕上げ塗材層、３・・保護シート、４・・裏打シート、５・・袋体、１０・・建物内装面、１１・・意匠付け用部材
【図１】
2010047972.tif 000003
【図２】
2010047972.tif 000004
【図３】
2010047972.tif 000005
【図４】
2010047972.tif 000006
【図５】
2010047972.tif 000007
【図６】
2010047972.tif 000008
【図７】
2010047972.tif 000009